(57)【要約】【課題】  激しい動きを伴ってもシューズ内の足のズレを抑制できると共に、足のむくみも抑制可能なシューズ着用バンドを提供すること。【解決手段】  足ＦにシューズＳを装着する際に足の甲から足の裏まで巻回されて装着される内側帯体２と、足にシューズを装着した状態で足の甲からシューズの裏まで巻回されて装着される外側帯体３とを備え、内側帯体が、全体又は一部が伸縮性材料で形成され、外側帯体が、全体又は一部が伸縮性材料で形成されていると共に内側帯体の外周に沿って環状に延在し、足にシューズを装着した状態で足の甲上に配される部分に、内側帯体と外側帯体とを互いに接合した接合部４を有している。【選択図】      図１
2019055114.tif 000002
【特許請求の範囲】
【請求項１】
足にシューズを装着する際に前記足の甲から前記足の裏まで巻回されて装着される内側帯体と、
前記足に前記シューズを装着した状態で前記足の甲から前記シューズの裏まで巻回されて装着される外側帯体とを備え、
前記内側帯体が、全体又は一部が伸縮性材料で形成され、
前記外側帯体が、全体又は一部が伸縮性材料で形成されていると共に内側帯体の外周に沿って環状に延在し、
前記足に前記シューズを装着した状態で前記足の甲上に配される部分に、前記内側帯体と前記外側帯体とを互いに接合した接合部を有していることを特徴とするシューズ着用バンド。
【請求項２】
請求項１に記載のシューズ着用バンドにおいて、
前記内側帯体及び前記外側帯体が、サテン生地製の伸縮性バインダーテープで形成されていることを特徴とするシューズ着用バンド。
【請求項３】
請求項１又は２に記載のシューズ着用バンドにおいて、
前記外側帯体の外周面であって前記接合部の直上又はその周囲に、装飾物が取り付けられていることを特徴とするシューズ着用バンド。
【請求項４】
請求項１から３のいずれか一項に記載のシューズ着用バンドにおいて、
前記内側帯体及び前記外側帯体が挿通されていると共に前記接合部を覆う環状のタグ部を備えていることを特徴とするシューズ着用バンド。
【請求項５】
請求項１から４のいずれか一項に記載のシューズ着用バンドにおいて、
前記内側帯体及び前記外側帯体の少なくとも一方が、両端部を有すると共に前記両端部を連結可能なバックル部を備えていることを特徴とするシューズ着用バンド。
【請求項６】
請求項１から５のいずれか一項に記載のシューズ着用バンドにおいて、
前記シューズが、ダンスシューズであることを特徴とするシューズ着用バンド。
【発明の詳細な説明】
【技術分野】
【０００１】
本発明は、ダンスシューズ等のシューズを足に装着した際に、シューズをずれ難くすることができるシューズ着用バンドである。
【背景技術】
【０００２】
通常、足のサイズにフィットしたシューズ（靴）を装着することが好ましいが、シューズのサイズが足のサイズよりも若干大きい場合がある。例えば、足のサイズより若干大きめの貸シューズを借りた場合や、装着時間が長くて足のむくみを考慮し、予め若干緩いシューズを装着している場合などがある。この装着時間が長い場合としては、朝にフィットしたシューズを履いて装着していると、夕方には足がむくんでシューズがきつくなってしまう現象があることから、朝に予め緩いシューズを履くことがある。
【０００３】
このように緩い状態でシューズを装着している場合、シューズがズレやすく履き心地が良くないだけでなく、ダンスシューズのように激しい動きを伴う場合には、シューズが脱げてしまうおそれもある。
そのため、従来、特許文献１に記載されているように、輪状とされ、全体又は一部を伸縮性を有する部材をもって構成した靴着用補助具が提案されている。
【０００４】
この靴着用補助具は、足にシューズを装着した状態で、足の甲とシューズの土踏まずの部分とを取り巻くように被せて装着することで、この部分を外周から適宜の圧力で緊締し、シューズを足にフィットさせるものである。
【先行技術文献】
【特許文献】
【０００５】
【特許文献１】実用新案登録第３１４１８２６号公報
【発明の概要】
【発明が解決しようとする課題】
【０００６】
上記従来の技術には、以下の課題が残されている。
すなわち、上記従来の技術では、靴着用補助具がシューズの外側から締め付けるだけであり、足自体はサポートされておらず、やはりシューズ内の足がズレてしまう不都合があった。特に、踊り等の激しい動きを伴うダンスシューズを着用した場合には、シューズだけを外側から締め付ける靴着用補助具では、足のズレを抑制する効果が不十分であった。また、靴着用補助具がシューズを締め付けているだけであるため、装着時間が長い場合に足のむくみを抑制することができなかった。
【０００７】
本発明は、前述の課題に鑑みてなされたもので、激しい動きを伴ってもシューズ内の足のズレを抑制できると共に、足のむくみも抑制可能なシューズ着用バンドを提供することを目的とする。
【課題を解決するための手段】
【０００８】
本発明は、前記課題を解決するために以下の構成を採用した。すなわち、第１の発明に係るシューズ着用バンドは、足にシューズを装着する際に前記足の甲から前記足の裏まで巻回されて装着される内側帯体と、前記足に前記シューズを装着した状態で前記足の甲から前記シューズの裏まで巻回されて装着される外側帯体とを備え、前記内側帯体が、全体又は一部が伸縮性材料で形成され、前記外側帯体が、全体又は一部が伸縮性材料で形成されていると共に内側帯体の外周に沿って環状に延在し、前記足に前記シューズを装着した状態で前記足の甲上に配される部分に、前記内側帯体と前記外側帯体とを互いに接合した接合部を有していることを特徴とする。
【０００９】
このシューズ着用バンドでは、足にシューズを装着する際に足の甲から足の裏まで巻回されて装着される内側帯体と、足にシューズを装着した状態で足の甲からシューズの裏まで巻回されて装着される外側帯体とを備え、足にシューズを装着した状態で足の甲上に配される部分に、内側帯体と外側帯体とを互いに接合した接合部を有しているので、激しい動きを伴ってもシューズ内の足のズレを抑制できると共に、足のむくみも抑制可能である。すなわち、シューズを外周から締め付ける外側帯体だけでなく、足自体も外側帯体と接合部で連結されている内側帯体でサポートしていることで、シューズ内の足がシューズに対して、よりズレ難くなる。例えば、シューズ内の足がズレようとしたとき、足を取り巻く内側帯体とシューズを取り巻く外側帯体とが接合部で接続されているため、足の動きが内側帯体を介して外側帯体にも伝わり、内側帯体の支持力と外側帯体の支持力との相乗効果により足とシューズとのズレが効果的に抑制される。
また、足自体が内側帯体で締め付けられているので、装着時間が長い場合でも、足のむくみを抑制することができる。このように、シューズと足とをそれぞれ外側帯体と内側帯体とで締め付けることで、二重にサポートされ、シューズ内の足のズレとむくみとを抑制することが可能になる。
【００１０】
第２の発明に係るシューズ着用バンドは、第１の発明において、前記内側帯体及び前記外側帯体が、サテン生地製の伸縮性バインダーテープで形成されていることを特徴とする。
すなわち、このシューズ着用バンドでは、内側帯体及び外側帯体が、ブラジャーの肩紐等に採用されているサテン生地製の伸縮性バインダーテープで形成されているので、肌触りも良く、また光沢もあって高いデザイン性も得ることができる。
【００１１】
第３の発明に係るシューズ着用バンドは、第１又は第２の発明において、前記外側帯体の外周面であって前記接合部の直上又はその周囲に、装飾物が取り付けられていることを特徴とする。
すなわち、このシューズ着用バンドでは、外側帯体の外周面であって接合部の直上又はその周囲に、装飾物が取り付けられているので、様々な装飾物を選択可能であり、装飾物による高いデザイン性と美観とが得られだけでなく、接合部によって装着時に足の甲上に装飾物を位置決めすることができる。例えば、凸部となる装飾物がシューズ内側に配されてしまい、シューズと足との間にあって装着時に装飾物が足を圧迫して不快感を生じさせることが無い。
【００１２】
第４の発明に係るシューズ着用バンドは、第１から第３の発明のいずれかにおいて、  前記内側帯体及び前記外側帯体が挿通されていると共に前記接合部を覆う環状のタグ部を備えていることを特徴とする。
すなわち、このシューズ着用バンドでは、内側帯体及び外側帯体が挿通されていると共に接合部を覆う環状のタグ部を備えているので、接合部をタグ部で覆って隠すことができると共に、タグ部に文字、記号、絵又は模様等を付けることで、デザイン性も向上する。
【００１３】
第５の発明に係るシューズ着用バンドは、第１から第４の発明のいずれかにおいて、前記内側帯体及び前記外側帯体の少なくとも一方が、両端部を有すると共に前記両端部を連結可能なバックル部を備えていることを特徴とする。
すなわち、このシューズ着用バンドでは、内側帯体及び外側帯体の少なくとも一方が、両端部を有すると共に前記両端部を連結可能なバックル部を備えているので、両端部を着脱自在なバックル部で両端部を連結して環状とすることができ、バンドの着脱が容易になる。
【００１４】
第６の発明に係るシューズ着用バンドは、第１から第５の発明のいずれかにおいて、前記シューズが、ダンスシューズであることを特徴とする。
すなわち、このシューズ着用バンドでは、シューズが、ダンスシューズであるので、踊り等の激しい動きがあっても足がズレ難く、常にシューズが足にフィットした状態でダンスを行うことができる。
【発明の効果】
【００１５】
本発明によれば、以下の効果を奏する。
すなわち、本発明に係るシューズ着用バンドによれば、足にシューズを装着する際に足の甲から足の裏まで巻回されて装着される内側帯体と、足にシューズを装着した状態で足の甲からシューズの裏まで巻回されて装着される外側帯体とを備え、足にシューズを装着した状態で足の甲上に配される部分に、内側帯体と外側帯体とを互いに接合した接合部を有しているので、激しい動きを伴ってもシューズ内の足のズレを抑制できると共に、足のむくみも抑制可能である。
特に、本発明のシューズ着用バンドでは、激しい動きを伴うダンスシューズを装着する際に好適である。
【図面の簡単な説明】
【００１６】
【図１】本発明に係るシューズ着用バンドの第１実施形態において、足にシューズを装着した際に、シューズ着用バンドを装着した状態を示す斜視図である。
【図２】第１実施形態において、シューズ着用バンドを示す正面図である。
【図３】第１実施形態において、足にシューズを装着する前に、シューズ着用バンドの外側帯体をシューズに巻回させた状態を示す斜視図である。
【図４】第１実施形態において、実際にシューズ着用バンドを装着した状態を示す写真である。
【図５】本発明に係るシューズ着用バンドの第２実施形態において、要部を示す斜視図である。
【図６】本発明に係るシューズ着用バンドの第３実施形態を示す斜視図である。
【図７】本発明に係るシューズ着用バンドの第４実施形態を示す斜視図である。
【発明を実施するための形態】
【００１７】
以下、本発明に係るシューズ着用バンドの第１実施形態を、図１から図４を参照しながら説明する。
【００１８】
本実施形態のシューズ着用バンド１は、図１から図４に示すように、足ＦにシューズＳを装着する際に足Ｆの甲から足Ｆの裏まで巻回されて装着される内側帯体２と、足ＦにシューズＳを装着した状態で足Ｆの甲からシューズＳの裏まで巻回されて装着される外側帯体３とを備えている。
上記内側帯体２は、全体又は一部が伸縮性材料で形成されている。
上記外側帯体３は、全体又は一部が伸縮性材料で形成されていると共に内側帯体２の外周に沿って環状に延在している。
【００１９】
本実施形態のシューズ着用バンド１は、足ＦにシューズＳを装着した状態で足Ｆの甲上に配される部分に、内側帯体２と外側帯体３とを互いに接合した接合部４を有している。
本実施形態では、上記内側帯体２及び外側帯体３は、全体がサテン生地製の伸縮性バインダーテープで形成されている。
【００２０】
内側帯体２及び外側帯体３は、それぞれ１本のテープを端部同士で縫合することで環状としている。なお、内側帯体２は、外側帯体３よりも外周長が短く設定されている。
上記接合部４は、内側帯体２と外側帯体３とを縫合して連結した部分である。なお、内側帯体２及び外側帯体３を環状に縫合する際に、同時に内側帯体２と外側帯体３とを縫合して接合部４としてもよい。
【００２１】
なお、上記シューズＳは、ダンスシューズである。
このシューズＳは、ヒール部Ｓ１が有しており、外側帯体３が足Ｆの甲からヒール部Ｓ１と先端部との間にある土踏まず部Ｓ２まで取り巻かれて外側帯体３の弾性力により締め付けている。
【００２２】
次に、本実施形態のシューズ着用バンド１の使用方法について説明する。
まず、シューズ着用バンド１の使用する際には、図３に示すように、シューズＳに外側帯体３を巻回する。このとき、接合部４をシューズＳの上側に配するようにセットすることで、内側帯体２がシューズＳ内に配された状態となる。
【００２３】
次に、足Ｆを内側帯体２に挿入し、足Ｆの甲から足Ｆの裏（土踏まずの部分）まで巻回する。この際、足Ｆの甲上に接合部４が位置する。この状態で、足ＦをしっかりシューズＳ内に挿入することで、図１に示すように、外側帯体３がシューズＳの外側に巻かれた状態となると共に内側帯体２がシューズＳの内側で足Ｆに巻かれた状態となり、シューズ着用バンド１が装着される。
なお、実際にシューズ着用バンド１を装着した状態の写真を図４に示す。
【００２４】
このように本実施形態のシューズ着用バンド１では、足ＦにシューズＳを装着する際に足Ｆの甲から足Ｆの裏まで巻回されて装着される内側帯体２と、足ＦにシューズＳを装着した状態で足Ｆの甲からシューズＳの裏まで巻回されて装着される外側帯体３とを備え、足ＦにシューズＳを装着した状態で足Ｆの甲上に配される部分に、内側帯体２と外側帯体３とを互いに接合した接合部４を有しているので、激しい動きを伴ってもシューズＳ内の足Ｆのズレを抑制できると共に、足Ｆのむくみも抑制可能である。
【００２５】
すなわち、シューズＳを外周から締め付ける外側帯体３だけでなく、足Ｆ自体も外側帯体３と接合部４で連結されている内側帯体２でサポートしていることで、シューズＳ内の足ＦがシューズＳに対して、よりズレ難くなる。例えば、シューズＳ内の足Ｆがズレようとしたとき、足Ｆを取り巻く内側帯体２とシューズＳを取り巻く外側帯体３とが接合部４で接続されているため、足Ｆの動きが内側帯体２を介して外側帯体３にも伝わり、内側帯体２の支持力と外側帯体３の支持力との相乗効果により足ＦとシューズＳとのズレが効果的に抑制される。
特に、シューズＳが、ダンスシューズである場合、踊り等の激しい動きがあっても足Ｆがズレ難く、常にシューズＳが足Ｆにフィットした状態でダンスを行うことができる。
【００２６】
また、足Ｆ自体が内側帯体２で締め付けられているので、装着時間が長い場合でも、足Ｆのむくみを抑制することができる。このように、シューズＳと足Ｆとをそれぞれ外側帯体３と内側帯体２とで締め付けることで、二重にサポートされ、シューズＳ内の足Ｆのズレとむくみとを抑制することが可能になる。
さらに、内側帯体２及び外側帯体３が、ブラジャーの肩紐等に採用されているサテン生地製の伸縮性バインダーテープで形成されているので、肌触りも良く、また光沢もあって高いデザイン性も得ることができる。
【００２７】
次に、本発明に係るシューズ着用バンドの第２から第４実施形態について、図５から図７を参照して以下に説明する。なお、以下の各実施形態の説明において、上記実施形態において説明した同一の構成要素には同一の符号を付し、その説明は省略する。
【００２８】
第２実施形態と第１実施形態との異なる点は、第１実施形態では、外側帯体３が伸縮性バインダーテープだけで構成されているのに対し、第２実施形態のシューズ着用バンド２１では、図５に示すように、外側帯体２３の外周面であって接合部４の直上又はその周囲に、装飾物２５が取り付けられている点である。
すなわち、第２実施形態では、外側帯体２３の外周面に装飾物２５として複数のイミテーションの宝石が並べられて貼り付けられている。
【００２９】
このように第２実施形態のシューズ着用バンド２１では、外側帯体２３の外周面であって接合部４の直上又はその周囲に、装飾物２５が取り付けられているので、様々な装飾物２５を選択可能であり、装飾物２５による高いデザイン性と美観とが得られだけでなく、接合部４によって装着時に足Ｆの甲上に装飾物２５を位置決めすることができる。例えば、凸部となる装飾物２５がシューズＳ内側に配されてしまい、シューズＳと足Ｆとの間にあって装着時に装飾物２５が足Ｆを圧迫して不快感を生じさせることが無い。
【００３０】
次に、第３実施形態と第１実施形態との異なる点は、第１実施形態では、縫合された接合部４が露出しているのに対し、第３実施形態のシューズ着用バンド３１では、図６に示すように、接合部４がタグ部３６で覆われている点である。
すなわち、第３実施形態のシューズ着用バンド３１は、内側帯体２及び外側帯体３が挿通されていると共に接合部４を覆う環状のタグ部３６を備えている。
【００３１】
上記タグ部３６は、内側帯体２及び外側帯体３が挿通可能な小さな環状とされ、接合部４と縫合されて互いにズレないように固定されている。
なお、上記タグ部３６も、内側帯体２及び外側帯体３と同様の伸縮性バインダーテープを用いてもよいが、異なる材質のテープを用いることも可能である。また、タグ部３６は、内側帯体２及び外側帯体３と異なる色や模様のテープを用いても構わない。さらに、タグ部３６の表面には、文字、記号、絵又は模様等を付けても構わない。
【００３２】
このように第３実施形態のシューズ着用バンド３１では、内側帯体２及び外側帯体３が挿通されていると共に接合部４を覆う環状のタグ部３６を備えているので、接合部４をタグ部３６で覆って隠すことができると共に、タグ部３６に文字、記号、絵又は模様等を付けることで、デザイン性も向上する。
【００３３】
次に、第４実施形態と第１実施形態との異なる点は、第１実施形態では、内側帯体２と外側帯体３とを互いに縫合した接合部４でそれぞれ環状となっているのに対し、第４実施形態のシューズ着用バンド４１では、図７に示すように、内側帯体４２及び外側帯体４３の少なくとも一方が、両端部を有すると共に前記両端部を連結可能なバックル部４７を備えている点である。
【００３４】
なお、第４実施形態では、内側帯体４２と外側帯体４３とを互いに縫合した接合部４４自体が、内側帯体４２と外側帯体４３との両端部を着脱可能なバックル部４７となっている。
上記バックル部４７は、例えば樹脂で形成され、雌部４７ａと、雌部４７ａに着脱可能に嵌め込み可能な雄部４７ｂとで構成されている。すなわち、内側帯体４２と外側帯体４３との一方の端部は、雌部４７ａに固定されていると共に、内側帯体４２と外側帯体４３との他方の端部は、雄部４７ｂに固定されている。
【００３５】
したがって、雌部４７ａに雄部４７ｂを嵌め込むと内側帯体４２と外側帯体４３との両端部が連結され、内側帯体４２と外側帯体４３とが二重の環状を構成する。また、雌部４７ａから雄部４７ｂを外すと、内側帯体４２及び外側帯体４３が接合部４４で切断され、それぞれ環状から両端部を有する帯状となる。
第４実施形態のシューズ着用バンド４１を装着する場合、例えば、バックル部４７の連結を外した状態で、外側帯体４３の中央部をシューズＳの裏側に配すると共に、内側帯体４２の中央部をシューズＳの内部に配した状態で、足ＦをシューズＳに挿入する。
次に、バックル部４７を足Ｆの甲上で連結すると、外側帯体４３がシューズＳの外周に取り巻かれて環状となると共に、内側帯体４２がシューズＳ内の足Ｆを取り巻いて環状となり、シューズ着用バンド４１が装着される。
【００３６】
このように第４実施形態のシューズ着用バンド４１では、内側帯体４２及び外側帯体４３の少なくとも一方が、両端部を有すると共に前記両端部を連結可能なバックル部４７を備えているので、両端部を着脱自在なバックル部４７で両端部を連結して環状とすることができ、バンドの着脱が容易になる。
【００３７】
なお、本発明の技術範囲は上記各実施形態に限定されるものではなく、本発明の趣旨を逸脱しない範囲において種々の変更を加えることが可能である。
【００３８】
例えば、上述したように内側帯体及び外側帯体をサテン生地製の伸縮性バインダーテープで形成することが好ましいが、他の伸縮性材料で形成しても構わない。例えば、ゴムバンドやシリコンゴム等で内側帯体及び外側帯体を形成してもよい。
また、第２実施形態では、装飾物として複数のイミテーションの宝石を接着したが、他の装飾物を取り付けても構わない。例えば、小さなマークや絵が施されたものや、小型のリボン等を取り付けてもよい。
さらに、第４実施形態では、内側帯体と外側帯体との両方を１つのバックル部で連結しているが、内側帯体の両端部だけを連結するバックル部や、外側帯体の両端部だけを連結するバックル部を設けても構わない。
【産業上の利用可能性】
【００３９】
本発明のシューズ着用バンドは、シューズ着用時に足のズレを抑制すると共に、足のむくみも抑制するものである。特に、本発明のシューズ着用バンドは、激しい動きが伴うダンスシューズを装着した際でも、足のズレを抑制可能なものである。
【符号の説明】
【００４０】
１，２１，３１，４１…シューズ着用バンド、２，４２…内側帯体、３，２３，４３…外側帯体、４，４４…接合部、２５…装飾物、３６…タグ部、４７…バックル部、Ｆ…足、Ｓ…シューズ
【図１】
2019055114.tif 000003
【図２】
2019055114.tif 000004
【図３】
2019055114.tif 000005
【図４】
2019055114.tif 000006
【図５】
2019055114.tif 000007
【図６】
2019055114.tif 000008
【図７】
2019055114.tif 000009